(57)【特許請求の範囲】
【請求項１】
写真画像を生成する生成手段と、
前記生成手段で生成された写真画像に対応する写真画像ＩＤを特定する特定手段と、
前記生成手段で生成された写真画像と、前記特定手段で特定した写真画像ＩＤとをサーバへ送信する第１の送信手段と、
前記生成手段で生成された写真画像を印刷する印刷手段と、
前記第１の送信手段で前記サーバへ送信された写真画像の取得を装置利用者に可能とするために、装置利用者のメールアドレスの入力部を所定時間の間、画面に表示する表示手段と、
前記第１の送信手段で前記サーバへ送信された写真画像の取得を装置利用者に可能とするために、装置利用者の携帯端末装置で読取ることができるコードであって、サーバと通信を行なうためのコードを、前記画面に表示する方法、および電波または赤外線を用いて出力する方法のうち少なくともいずれか一方の方法で出力する出力手段と、
前記入力部へのメールアドレスの入力を受け付けるアドレス受付手段とを備え、
前記第１の送信手段は、前記アドレス受付手段で受け付けたメールアドレスを前記サーバにさらに送信し、
前記コードは、装置利用者の携帯端末装置で読取られたときに、その携帯端末装置がサーバに対して前記写真画像ＩＤを通知するメールを送信するための処理を実行するものであり、
前記出力手段は、前記表示手段にて前記入力部を表示するのと並行して、前記コードの出力を行う、写真シール作成装置。
【請求項２】
前記メールアドレスの入力部と前記コードとは、同一の画面に表示される、請求項１に記載の写真シール作成装置。
【請求項３】
前記コードは、前記メールアドレスの入力部の左右の端部よりも外側に表示される、請求項１または２に記載の写真シール作成装置。
【請求項４】
請求項１〜３のいずれかに記載の写真シール作成装置と、サーバと、携帯端末装置とで構成される写真画像提供システムであって、
前記携帯端末装置は、
前記出力手段にて表示されたコードを読み取る読取手段と、
前記読取手段にて読み取ったコードを元に、写真画像ＩＤおよびメールアドレスを前記サーバに通知するためのメールを前記サーバに送信する第２の送信手段とを備え、
前記サーバは、
前記第１の送信手段で送信された写真画像、写真画像ＩＤ、およびメールアドレスを受信する第１の受信手段と、
前記第２の送信手段で送信されたメールに含まれる写真画像ＩＤおよびメールアドレスを受信する第２の受信手段と、
前記第１の受信手段で受信したメールアドレスに対して、前記生成手段で生成された写真画像を取得するためのＵＲＬを含むメールを送信する第１のメール送信手段と、
前記第２の受信手段で受信したメールアドレスに対して、前記生成手段で生成された写真画像を取得するためのＵＲＬを含むメールを送信する第２のメール送信手段とを備えた、写真画像提供システム。
【請求項５】
前記第２のメール送信手段は、前記第１の送信手段で送信された写真画像を受信した後でメールを送信する、請求項４に記載の写真画像提供システム。
【請求項６】
前記サーバは、
前記第１の受信手段で受信した写真画像、写真画像ＩＤ、およびメールアドレスを記憶する第１の記憶手段と、
前記第２の受信手段で写真画像ＩＤおよびメールアドレスを受信した場合に、前記第２の受信手段で受信した写真画像ＩＤに対応する写真画像が、前記第１の記憶手段に記憶されているか否かを判定する第１の判定手段と、
前記第１の判定手段で記憶されていないと判定した場合に、前記第２の受信手段で受信した写真画像ＩＤおよびメールアドレスを記憶する第２の記憶手段と、
前記第１の記憶手段で写真画像を記憶する場合に、前記第１の記憶手段で記憶する写真画像に対応する写真画像ＩＤが前記第２の記憶手段に記憶されているか否かを判定する第２の判定手段とをさらに備え、
前記第２の判定手段で記憶されていると判定された場合に、前記第２のメール送信手段は、前記第２の記憶手段で記憶したメールアドレスに対して、前記生成手段で生成された写真画像を取得するためのＵＲＬを含むメールを送信する、請求項５に記載の写真画像提供システム。
【請求項７】
写真画像を生成する生成ステップと、
前記生成ステップで生成された写真画像に対応する写真画像ＩＤを特定する特定ステップと、
前記生成ステップで生成された写真画像と、前記特定ステップで特定した写真画像ＩＤとをサーバへ送信する第１の送信ステップと、
前記生成ステップで生成された写真画像を印刷する印刷ステップと、
前記第１の送信ステップで前記サーバへ送信された写真画像の取得を装置利用者に可能とするために、装置利用者のメールアドレスの入力部を所定時間の間、画面に表示する表示ステップと、
前記第１の送信ステップで前記サーバへ送信された写真画像の取得を装置利用者に可能とするために、装置利用者の携帯端末装置で読取ることができるコードであって、サーバと通信を行なうためのコードを、前記画面に表示する方法、および電波または赤外線を用いて出力する方法のうち少なくともいずれか一方の方法で出力する出力ステップと、
前記入力部へのメールアドレスの入力を受け付けるアドレス受付ステップとを備え、
前記第１の送信ステップにおいて、前記アドレス受付手段で受け付けたメールアドレスを前記サーバにさらに送信し、
前記コードは、装置利用者の携帯端末装置で読取られたときに、その携帯端末装置がサーバに対して前記写真画像ＩＤを通知するメールを送信するための処理を実行するものであり、
前記出力ステップにおいて、前記表示ステップにて前記入力部を表示するのと並行して、前記コードの出力を行う、写真シール作成装置の制御方法。
【請求項８】
写真画像を生成する生成ステップと、
前記生成ステップで生成された写真画像に対応する写真画像ＩＤを特定する特定ステップと、
前記生成ステップで生成された写真画像と、前記特定ステップで特定した写真画像ＩＤとをサーバへ送信する第１の送信ステップと、
前記生成ステップで生成された写真画像を印刷する印刷ステップと、
前記第１の送信ステップで前記サーバへ送信された写真画像の取得を装置利用者に可能とするために、装置利用者のメールアドレスの入力部を所定時間の間、画面に表示する表示ステップと、
前記第１の送信ステップで前記サーバへ送信された写真画像の取得を装置利用者に可能とするために、装置利用者の携帯端末装置で読取ることができるコードであって、サーバと通信を行なうためのコードを、前記画面に表示する方法、および電波または赤外線を用いて出力する方法のうち少なくともいずれか一方の方法で出力する出力ステップと、
前記入力部へのメールアドレスの入力を受け付けるアドレス受付ステップとをコンピュータに実行させ、
前記第１の送信ステップにおいて、前記アドレス受付手段で受け付けたメールアドレスを前記サーバにさらに送信し、
前記コードは、装置利用者の携帯端末装置で読取られたときに、その携帯端末装置がサーバに対して前記写真画像ＩＤを通知するメールを送信するための処理を実行するものであり、
前記出力ステップにおいて、前記表示ステップにて前記入力部を表示するのと並行して、前記コードの出力を行う、写真シール作成装置の制御プログラム。
【発明の詳細な説明】
【技術分野】
【０００１】
この発明は写真シール作成装置、および画像提供サーバに関し、特に、装置利用者の携帯端末装置を利用して通信により装置利用者に写真画像を提供する写真シール作成装置、および画像提供サーバに関する。
【背景技術】
【０００２】
ゲームセンターなどに設置され、装置利用者の写真を撮影し、その画像に対して利用者（ユーザ）が画像の編集（落書き）を行なった後に、それをシールなどのプリント物として提供する写真シール作成装置が知られている。また、写真シール作成装置で撮影された写真を、利用者の所持する携帯電話、ＰＤＡ等の携帯端末へ送信し、待ち受け写真とするサービスがある。
【０００３】
具体的には、写真シール作成装置にＰＨＳユニットなどによって実現される送信機能を備えさせ、撮影および編集された写真を外部のサーバへ送信させる。閲覧用のＵＲＬとＩＤをシールに印刷することで、ユーザは上記携帯端末から上記閲覧用のＵＲＬにアクセスし、ＩＤを入力してサーバで記憶されている写真を取得する。
【０００４】
ＩＤの入力の手間を省くために、ユーザの指定するメールアドレスに閲覧用のＵＲＬを含むメールを送信し、送信されたＵＲＬにアクセスすることによりサーバで記憶されている写真を提供する方法もある。
【０００５】
すなわちユーザは、写真シール作成装置上で携帯端末のメールアドレスを入力する。ユーザが入力したメールアドレスは、サーバ上に記録される。サーバからそのアドレス宛にメールが送信される。送信されたメールには、待ち受け写真をアップロードしたサーバのＵＲＬが記載されている。ユーザは、そのＵＲＬから待ち受け写真をダウンロードする。
【０００６】
一般に、写真シール作成装置では、複数枚の写真を作成するため、これら複数枚の写真をディスプレイに表示し、利用者から好みの写真の選択を受付けることが行なわれている。また、ＷＥＢサイト会員を獲得するためなどの目的で、選択した写真以外の写真も合わせてサーバへ送信し、会員には、選択した写真以外の写真も閲覧させるサービスを提供することが行なわれている。
【０００７】
サーバは、複数のユーザの待ち受け写真を同時に処理するため、それらをＩＤなどによって区分けして管理する。
【０００８】
下記特許文献１には、近距離無線通信部により通信端末からメールアドレスを受信し、画像データをメールアドレスと対応付けて記憶する写真シール機が開示されている。
【０００９】
また、下記特許文献２には、近距離無線通信部により画像データを通信端末に送信する写真シール機が開示されている。
【特許文献１】特開２００７−１８４７９３号公報
【特許文献２】特開２００７−１８４７９４号公報
【発明の開示】
【発明が解決しようとする課題】
【００１０】
ユーザにメールアドレスを入力させることとすると、入力ミスにより正しくメールを送信できない場合がある。また、ユーザにとって入力は煩わしいという問題がある。
【００１１】
本発明はユーザのメールアドレス入力の手間を軽減させることができる写真シール作成装置、および画像提供サーバを提供することを目的としている。
【課題を解決するための手段】
【００１２】
上記目的を達成するためこの発明のある局面に従うと、写真シール作成装置は、写真画像を生成する生成手段と、生成手段で生成された写真画像に対応する写真画像ＩＤを特定する特定手段と、生成手段で生成された写真画像と、特定手段で特定した写真画像ＩＤとをサーバへ送信する第１の送信手段と、生成手段で生成された写真画像を印刷する印刷手段と、第１の送信手段でサーバへ送信された写真画像の取得を装置利用者に可能とするために、装置利用者のメールアドレスの入力部を所定時間の間、画面に表示する表示手段と、第１の送信手段でサーバへ送信された写真画像の取得を装置利用者に可能とするために、装置利用者の携帯端末装置で読取ることができるコードであって、サーバと通信を行なうためのコードを、画面に表示する方法、および電波または赤外線を用いて出力する方法のうち少なくともいずれか一方の方法で出力する出力手段と、入力部へのメールアドレスの入力を受け付けるアドレス受付手段とを備える。第１の送信手段は、アドレス受付手段で受け付けたメールアドレスをサーバにさらに送信し、コードは、装置利用者の携帯端末装置で読取られたときに、その携帯端末装置がサーバに対して写真画像ＩＤを通知するメールを送信するための処理を実行するものであり、出力手段は、表示手段にて入力部を表示するのと並行して、コードの出力を行う。
【００１４】
好ましくはメールアドレスの入力部とコードとは、同一の画面に表示される。
【００１５】
好ましくはコードは、メールアドレスの入力部の左右の端部よりも外側に表示される。
【００１６】
この発明の他の局面に従うと写真画像提供システムは、上述の写真シール作成装置と、サーバと、携帯端末装置とで構成される写真画像提供システムであって、携帯端末装置は、出力手段にて表示されたコードを読み取る読取手段と、読取手段にて読み取ったコードを元に、写真画像ＩＤおよびメールアドレスをサーバに通知するためのメールをサーバに送信する第２の送信手段とを備え、サーバは、第１の送信手段で送信された写真画像、写真画像ＩＤ、およびメールアドレスを受信する第１の受信手段と、第２の送信手段で送信されたメールに含まれる写真画像ＩＤおよびメールアドレスを受信する第２の受信手段と、第１の受信手段で受信したメールアドレスに対して、生成手段で生成された写真画像を取得するためのＵＲＬを含むメールを送信する第１のメール送信手段と、第２の受信手段で受信したメールアドレスに対して、生成手段で生成された写真画像を取得するためのＵＲＬを含むメールを送信する第２のメール送信手段とを備える。
好ましくは第２のメール送信手段は、第１の送信手段で送信された写真画像を受信した後でメールを送信する。
好ましくはサーバは、第１の受信手段で受信した写真画像、写真画像ＩＤ、およびメールアドレスを記憶する第１の記憶手段と、第２の受信手段で写真画像ＩＤおよびメールアドレスを受信した場合に、第２の受信手段で受信した写真画像ＩＤに対応する写真画像が、第１の記憶手段に記憶されているか否かを判定する第１の判定手段と、第１の判定手段で記憶されていないと判定した場合に、第２の受信手段で受信した写真画像ＩＤおよびメールアドレスを記憶する第２の記憶手段と、第１の記憶手段で写真画像を記憶する場合に、第１の記憶手段で記憶する写真画像に対応する写真画像ＩＤが第２の記憶手段に記憶されているか否かを判定する第２の判定手段とをさらに備える。第２の判定手段で記憶されていると判定された場合に、第２のメール送信手段は、第２の記憶手段で記憶したメールアドレスに対して、生成手段で生成された写真画像を取得するためのＵＲＬを含むメールを送信する。
【００１８】
この発明のさらに他の局面に従うと写真シール作成装置の制御方法は、写真画像を生成する生成ステップと、生成ステップで生成された写真画像に対応する写真画像ＩＤを特定する特定ステップと、生成ステップで生成された写真画像と、特定ステップで特定した写真画像ＩＤとをサーバへ送信する第１の送信ステップと、生成ステップで生成された写真画像を印刷する印刷ステップと、第１の送信ステップでサーバへ送信された写真画像の取得を装置利用者に可能とするために、装置利用者のメールアドレスの入力部を所定時間の間、画面に表示する表示ステップと、第１の送信ステップでサーバへ送信された写真画像の取得を装置利用者に可能とするために、装置利用者の携帯端末装置で読取ることができるコードであって、サーバと通信を行なうためのコードを、画面に表示する方法、および電波または赤外線を用いて出力する方法のうち少なくともいずれか一方の方法で出力する出力ステップと、入力部へのメールアドレスの入力を受け付けるアドレス受付ステップとを備える。第１の送信ステップにおいて、アドレス受付手段で受け付けたメールアドレスをサーバにさらに送信し、コードは、装置利用者の携帯端末装置で読取られたときに、その携帯端末装置がサーバに対して写真画像ＩＤを通知するメールを送信するための処理を実行するものであり、出力ステップにおいて、表示ステップにて入力部を表示するのと並行して、コードの出力を行う。
【００２０】
この発明のさらに他の局面に従うと写真シール作成装置の制御プログラムは、写真画像を生成する生成ステップと、生成ステップで生成された写真画像に対応する写真画像ＩＤを特定する特定ステップと、生成ステップで生成された写真画像と、特定ステップで特定した写真画像ＩＤとをサーバへ送信する第１の送信ステップと、生成ステップで生成された写真画像を印刷する印刷ステップと、第１の送信ステップでサーバへ送信された写真画像の取得を装置利用者に可能とするために、装置利用者のメールアドレスの入力部を所定時間の間、画面に表示する表示ステップと、第１の送信ステップでサーバへ送信された写真画像の取得を装置利用者に可能とするために、装置利用者の携帯端末装置で読取ることができるコードであって、サーバと通信を行なうためのコードを、画面に表示する方法、および電波または赤外線を用いて出力する方法のうち少なくともいずれか一方の方法で出力する出力ステップと、入力部へのメールアドレスの入力を受け付けるアドレス受付ステップとをコンピュータに実行させる。第１の送信ステップにおいて、アドレス受付手段で受け付けたメールアドレスをサーバにさらに送信し、コードは、装置利用者の携帯端末装置で読取られたときに、その携帯端末装置がサーバに対して写真画像ＩＤを通知するメールを送信するための処理を実行するものであり、出力ステップにおいて、表示ステップにて入力部を表示するのと並行して、コードの出力を行う。
【発明の効果】
【００２２】
これらの発明によると、ユーザのメールアドレス入力の手間を軽減させることができる写真シール作成装置、および画像提供サーバを提供することが可能となる。
【発明を実施するための最良の形態】
【００２３】
［第１の実施の形態］
【００２４】
図１は、本発明の実施の形態の１つにおける写真シール作成装置のネットワーク接続例を示す図である。
【００２５】
様々な店舗に設置される複数の写真シール作成装置（機種Ａ）１ａ〜１ｃ、および写真シール作成装置（機種Ｂ）２ａ，２ｂは、インターネットなどのネットワークＮに接続されている。写真シール作成装置１ａ〜１ｃには、撮影や画像入力（編集操作）により得られた画像データなどを記憶する記憶部と、記憶部に記憶された画像データなどを外部に送信するための送信部が備えられている。本実施の形態における送信部は、ＰＨＳカードを差込可能なＰＨＳユニットである。
【００２６】
また、ネットワークＮには、画像提供サーバ２０１が、ＬＡＮ回線などの通信部によってルータに接続し、ルータを介して接続されている。画像提供サーバ２０１は、通信部２０１ａと、制御部２０１ｂと、記憶部２０１ｃとを有している。
【００２７】
ネットワークＮには複数の利用者（ユーザ）の携帯端末装置２０５ａ〜２０５ｃが接続される。携帯端末装置２０５ａ〜２０５ｃのそれぞれは、通信部２０７と、操作部２０９と、表示部２１１と、記憶部２１３と、画像を取得するためのカメラ２１５とを有している。
【００２８】
写真シール作成装置１ａ〜１ｃ，２ａ，２ｂで得られた画像データは、その記憶部内の送信フォルダに記憶され、ＰＨＳカードを介してネットワークＮに接続された画像提供サーバ２０１へ送信される。画像提供サーバ２０１は、得られた画像データを記憶する。
【００２９】
また、携帯端末装置２０５ａ〜２０５ｃにより、画像提供サーバ２０１およびネットワークＮを介して画像提供サーバ２０１に蓄積された画像データをユーザは受信することができ、これにより画像データを携帯端末装置２０５ａ〜２０５ｃの待受け画面などに利用することが可能となる。
【００３０】
図２は、本発明の実施の形態の１つにおける写真シール作成装置の外観の具体例を示す斜視図である。
【００３１】
図を参照して、写真シール作成装置は、撮影空間内の被写体である装置利用者を撮影するためのカメラ２１と、カメラ２１により得られた映像をリアルタイムに表示し、かつユーザからの入力を受付けるタッチパネルディスプレイ２３と、タッチパネルディスプレイ２３へ精度の高い入力を行なうためのタッチペン２３ａと、蛍光灯やストロボを内蔵する照明パネル２４と、プリント物を排出するプリント提供部８とを備えている。
【００３２】
また、写真シール作成装置の上部には、撮影時に音楽を流したり、操作案内のための音声を出力するスピーカ２７が備えられている。写真シール作成装置の内部には、被写体であるユーザが座ることができる撮影用椅子５７と、撮影時の背面となる壁５９とが設けられている。撮影用椅子５７や壁５９は、カメラ２１により撮影された画像に対してクロマキー処理を施すためのクロマキー色で彩色されている。
【００３３】
また、写真シール作成装置の側部には、撮影のための対価であるコインを投入するためのコイン投入口５１と、コインの投入状況を示すためのコイン部モニタ５３と、金庫ボックスにつながる扉５５とが設けられている。プリント提供部８の周辺には印刷の案内を行なうための印刷案内モニタ８１が備えられている。
【００３４】
それぞれの照明パネル２４の奥は、それぞれ箱状に形成され、その箱内部に蛍光灯、ストロボ（光源）が配置され、それらの光源からの光が照明パネルを介して被写体に照射される。カメラ２１を囲む３枚の照明パネル（近接撮影用照明パネル）と、それら３枚以外の照明パネル（全身撮影用照明パネル）からの照射のために配置される光源は共用であることが好ましい。例えば、所定の箱内部に配置された光源からの光が漏れ出るように、それぞれの箱内部の壁面に開口部を設け連通させる。これにより、近接撮影と全身撮影とでそれぞれ別に蛍光灯やストロボを設ける必要がなくなり、またいずれの撮影の場合も光の強度を適度な量に保つことが可能となる。
【００３５】
図３は、写真シール作成装置の撮影空間外に設けられる編集装置の構成を示す図である。
【００３６】
図に示されるように、編集装置は、撮影により得られた画像を表示し、画像の編集のための入力を受付けるタブレットディスプレイ３１と、タブレットディスプレイ３１に入力を行なうためのタブレットペン３３とを備えている。
【００３７】
図４は、写真シール作成装置の機能構成の具体例を示す図である。
【００３８】
図４を参照して、本実施の形態にかかる写真シール作成装置は、各機能や処理動作のための演算、制御の中心部となり、主に撮影側で行なわれるプレイの処理動作と、印刷を実行する第１コンピュータ装置１００ａと、主に編集側で行なわれるプレイの処理動作を実行する第２コンピュータ装置１００ｂと（説明の便宜上区別する必要がない場合は、これらをまとめてコンピュータ装置１００という。）、基板から構成され、コンピュータ装置１００からの指示を受けて、接続してある各種装置を制御、駆動する制御部１１０とを備える。第１コンピュータ装置１００ａと第２コンピュータ装置１００ｂとは、互いに接続され、画像データや情報データなどの授受をピアツーピアで行なう。これらは写真シール作成装置の制御手段として機能する。
【００３９】
写真シール作成装置は、電源を必要とする蛍光灯２８、ストロボ２６、制御部１１０などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチ１０７を押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００４０】
第１コンピュータ装置１００ａは、第１コンピュータ装置１００ａの中心部として演算処理を行なう演算装置であるＣＰＵ（Ｃｅｎｔｒａｌ  Ｐｒｏｃｅｓｓｉｎｇ  Ｕｎｉｔ）１０１ａと、装置を動作させるためのプログラムおよびプログラムで必要なグラフィックデータ、音声データ、撮影された画像や撮影画像に対して入力した編集画像、撮影画像と編集画像を合成した合成画像（これら撮影画像、編集画像、合成画像のいずれかがサーバへ送信する写真画像となりうる）、その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ（不図示）と、必要に応じて磁気ディスクや光ディスクや光磁気ディスク、またはＰＨＳユニット４１を装着する入出力インターフェイス（不図示）とを備える。なお、本実施の形態において、第１コンピュータ装置１００ａは画像提供サーバ２０１とネットワークを介して通信するために、ＰＨＳカード４２を差込可能なＰＨＳユニット４１と接続している。
【００４１】
第２コンピュータ装置１００ｂは、第１コンピュータ装置１００ａと異なり、ＰＨＳユニット４１を接続していないが、その他の構成は第１コンピュータ装置１００ａと同様であるため、詳細な説明は繰り返さない。
【００４２】
コンピュータ装置１００は、電源の投入および切断を制御する電源スイッチ１０７が押され、本装置に電源プラグより電源が投入されると、プログラムが起動されて動作を開始する。第１コンピュータ装置１００ａは、接続されるカメラ２１のシャッタタイミングや、タッチパネルディスプレイ２３での表示および入力や、プリンタ８５での出力を制御する。第２コンピュータ装置１００ｂは、接続されるタブレットディスプレイ３１での表示およびタブレットペン３３による入力を制御する。
【００４３】
第１コンピュータ装置１００ａのＣＰＵ１０１ａは、カメラ２１が撮像する映像（ライブ映像）と、記憶部１０２ａに記憶されている撮影動作に関する指示や操作画面とをタッチパネルディスプレイ２３に表示する。タッチパネルディスプレイ２３への表示は、プログラムに応じてライブ映像のみを表示したり、操作画面を表示したり、ライブ映像と操作画面とを合成して表示したり、別の画面を表示したりする。
【００４４】
ライブ映像と撮影動作に関する情報や操作画面との合成は第１コンピュータ装置１００ａの記憶部１０２ａに記憶されているソフトウェアで行なってもよいし、このような合成をするための専用の制御装置（基板）をタッチパネルディスプレイ２３に接続するなどハードウェアで行なってもよい。
【００４５】
また、第１コンピュータ装置１００ａは、上記プログラムの実行や、タッチパネルディスプレイ２３に含まれるタッチパネルから受信した、利用者の指やタッチペン２３ａなどでタッチされる入力操作にしたがった指示信号に基づいて、制御部１１０に対して制御信号を送信する。第２コンピュータ装置１００ｂは、タブレットディスプレイ３１に含まれるタッチパネルから受信した、タブレットペン３３でタッチされる入力操作に従った指示信号に基づいて、制御部１１０に対して制御信号を送信する。
【００４６】
タッチパネルは、モニタ（ディスプレイ）の上に積層されている。タッチパネルは、利用者の指などが触れられることによる入力を検出する。
【００４７】
タッチパネルディスプレイ２３には、撮影・印刷用コンピュータ装置１００ａから送信されるデータが表示される。撮影・印刷用コンピュータ装置１００ａから送信されるデータとは、カメラ２１から撮像される映像や撮影指示や選択肢などの画像であり、これらを適宜画面に表示することによって、撮影時の映像の視覚確認、操作選択の受付けや各種誘導案内などを行なう。
【００４８】
タブレットディスプレイ３１は、タブレットペン３３からの入力を検出する。タブレットペン３３での入力操作によってタブレットディスプレイ３１により検出されたデータ信号は、第２コンピュータ装置１００ｂに送信される。タブレットディスプレイ３１には、第２コンピュータ装置１００ｂから送信されるデータが表示される。したがって、利用者が落書きなどを入力している最中は、落書きなどが施された撮影画像が、タブレットディスプレイ３１に表示される。すなわち、利用者はタブレットディスプレイ３１に表示された撮影画像に対して、タブレットペン３３を使用して、その上に編集入力処理を行なうことができる。
【００４９】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ８５でシールが印刷されるものとして説明を行なうが、印刷媒体はシールに限定されず、他の印刷媒体であっても同様の処理が実行される。
【００５０】
プリンタ８５は、上述の用紙切れなどの状態を第１コンピュータ装置１００ａに通知する。第１コンピュータ装置１００ａは、その状態に応じて制御部１１０に制御信号を送信する。
【００５１】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００５２】
制御部１１０は、第１コンピュータ装置１００ａ、第２コンピュータ装置１００ｂおよび電源制御部１０８の他に、コイン制御部１１３、ストロボ制御部１１４、撮影用スピーカ２７、編集用スピーカ３７、印刷案内モニタ８１、コイン部モニタ５３、およびサービスパネル１１６に接続される。
【００５３】
コイン制御部１１３は、コイン投入口に投入されたコインの正当性を検出し、制御部１１０にコインが投入されたことを示す検出信号を送信する。
【００５４】
制御部１１０は、コンピュータ装置１００から受信した制御信号にしたがって、コイン制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００５５】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２７などの常灯照明装置も同様に制御部１１０と接続され、その照明度合いなどの設定がなされるようにしてもよい。
【００５６】
制御部１１０は、第１コンピュータ装置１００ａから受信した制御信号（指示コマンドなど）にしたがって、撮影用スピーカ２７に対して指示信号を送信し、写真シール作成装置の撮影プレイにおける操作などの案内やＢＧＭ（Ｂａｃｋ  Ｇｒｏｕｎｄ  Ｍｕｓｉｃ）などを出力する。同様に制御部１１０は、第２コンピュータ装置１００ｂから受信した制御信号にしたがって、編集用スピーカ３７に指示信号を送信し、写真シール作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００５７】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００５８】
制御部１１０は、コンピュータ装置１００から受信した制御信号にしたがって、サービスパネル１１６に対して制御信号を送信する。サービスパネル１１６は、該制御信号に従って、コインカウンタやプリントカウンタを動作させる（例えばカウンタを１インクリメントする）。
【００５９】
さらに、制御部１１０は、撮影・印刷用コンピュータ装置１００ａから、プリンタ８５の状態に応じた制御信号を受信し、該制御信号にしたがって、印刷案内モニタ８１の表示を制御する。
【００６０】
ＰＨＳユニット４１は、ＰＨＳカード４２を差込むことによって通信部４０として機能する。本写真シール作成装置は、ＰＨＳカード４２によって、第１コンピュータ装置１００ａの記憶部１０２ａに記憶された写真画像および必要な情報などを外部に送信し、サーバから送信される情報を受信し記憶部１０２ａに記憶する。この点については、後に詳細を説明する。
【００６１】
タブレットディスプレイ３１に入力を行なうためのタブレットペン３３は、左右のユーザのそれぞれに対応する２つが設けられる。
【００６２】
また、タブレットペン３３の近くに、左右のユーザのそれぞれに対応するＩＣチップリーダ／ライタ３５が２つ設けられる。
【００６３】
なお、言うまでもなく、写真シール作成装置の形態は図１〜図４に示される具体例に限定されるものではない。すなわち、図１〜図４に記載されない他の機能が備えられていてもよいし、図１〜図４に記載されている機能の必ずしも全てが備えられていなくても構わない。
【００６４】
図５は、送信写真選択処理においてタブレットディスプレイ３１に表示される画面を示す図である。
【００６５】
写真の撮影、編集画像の選択、および選択された編集画像における画像の編集が終了すると、作成された印刷データに基づきシールシートの印刷が開始される。印刷中に、図５に示される送信写真選択画面が表示される。これは、ユーザにユーザの携帯端末に送信する写真を選択させるための画面である。
【００６６】
図５を参照して、ユーザは撮影画像や編集後の画像から所望のものを選択し、それをサーバへ送信することができる。また、左右のユーザで異なる写真を選択することができる。
【００６７】
ここでは、左右のユーザそれぞれのために、１０枚の写真が表示される。この１０枚の写真は、撮影や編集により作成された画像である。左右のユーザそれぞれで個別に選択が受付けられる。個別に選択できるので、左右ユーザそれぞれで異なる写真を選択することも可能である。なお、ここでは撮影、編集で作成した写真を全て表示して選択を受付けることとしているが、編集画像の選択で選択された写真だけを表示してもよい。また編集画像の選択で選択された編集前の写真画像と、その写真に対して編集が行なわれた編集後の写真画像を一覧で表示して、選択させても構わない。
【００６８】
画像提供サーバ２０１には、合計４枚の写真が１セットになって送信されるものとする。すなわち、左右ユーザそれぞれで異なる写真が選択された場合には、選択された２枚の写真＋ランダムに選ばれた２枚の写真が、左右ユーザそれぞれで同じ写真が選択された場合には、選択された１枚の写真＋ランダムに選ばれた３枚の写真が、画像提供サーバ２０１に送信される。
【００６９】
図６は、図５の画面で送信画像の選択後にタブレットディスプレイ３１に表示されるメールアドレス入力画面を示す図である。
【００７０】
この画面のアドレス入力部３０１ａ，３０１ｂのそれぞれを用いて左右のユーザは、自己の携帯端末のアドレスを入力することができる。左右のユーザで同時に異なるメールアドレスを入力することが可能である。なお、自己の携帯端末以外の、例えばＥメールアドレスや友人の携帯端末のアドレス等、好みのメールアドレスの入力が可能となっている。図６のアドレス入力部３０１ａ，３０１ｂの上部には携帯端末装置のキャリアをそれぞれ表すボタンが４つ表示されているが、このボタンを押すことにより、決まったドメイン名が＠マークの右側の表示部に表示され入力される。また、＠マークの左側に、少なくとも１文字以上が入力されたかを判定して、これらボタンを表示しボタン入力を受けつけるようにしてもよい。これにより、誤入力を防ぐことができる。
【００７１】
また、メールアドレス入力画面には、余白部部分に、左右のユーザそれぞれに対応するＱＲ（Ｑｕｉｃｋ  Ｒｅｓｐｏｎｓｅ）コード（登録商標）３０３ａ，３０３ｂが表示されている。
【００７２】
すなわち、ユーザがメールアドレスを入力する画面においてＱＲコードが併記される。ＱＲコードは、携帯電話などの携帯端末のカメラで読取ることができる二次元コードである。ＱＲコードには、ＵＲＬやメールアドレス等のテキスト情報がコード化されている。ユーザは、携帯端末のカメラでＱＲコードを読取る事によって、簡単にＱＲコードの画像を取得することができ、メール送信を行なうことができる。これにより、ユーザがメールアドレスを入力する手間を省くことができる。また、メールアドレスを入力させる場合は、入力ミスや、他人のアドレスを故意に入力するといったイタズラが発生していた。ＱＲコードの読取りを行なうことで、そういったトラブルを軽減する事ができる。
【００７３】
なお、左右のＱＲコード３０３ａ，３０３ｂは、同じものではない。図５の送信写真選択処理において、左右のユーザでそれぞれ選択された画像を識別するためである。
【００７４】
図７は、図６のＱＲコードの読取りを行なった携帯端末装置の画面を示す図である。
【００７５】
携帯端末装置のカメラでＱＲコードが読み取られると、読み取られたＱＲコードに含まれるメールアドレスがアンカーテキストで携帯端末装置の画面に表示される。そのアンカーテキストをユーザがクリックすることによって携帯端末装置のメーラーが起動される。メーラーでは、宛先に上記メールアドレスが設定された返信用メールが自動で作成され、それによりユーザが空メールを送信することとしている。なお、携帯端末装置のＱＲコード読み取り機能の仕様に従い、メールアドレスだけでなく、メールタイトル又はメール本文をＱＲコード化してもよい。すなわち携帯端末装置は、このＱＲコードを読み取ることにより、メールタイトル又はメール本文に説明文が記述されるメールを自動で作成するようにしてもよい。
【００７６】
ユーザは、この空メールを送信するだけで、簡単に画像を取得するためのＵＲＬが記載された返信メールをサーバから受取ることができる。
【００７７】
図６に示すように、メールアドレスのドメイン名は、キャリアを表すボタンを押すことにより入力する構成になっている。しかし、ＭＶＮＯ（Ｍｏｂｉｌｅ  Ｖｉｒｔｕａｌ  Ｎｅｔｗｏｒｋ  Ｏｐｅｒａｔｏｒ）方式によるキャリア以外の独自ドメインが存在する場合、画面内に独自ドメインに対応したボタンを増やすことは難しい。従って、ドメイン名をユーザが手入力する操作が必要となる。このような場合においても、ＱＲコードを表示して行なう方法であれば、ユーザは簡単にメール送信を行なうことができる。すなわち本実施の形態では、独自ドメインが多様化した場合においても容易に対応することが可能であり、またユーザのドメイン入力の操作を要することもないため、利便性が高い。
【００７８】
図８〜１１は、写真シール作成装置１ａ、携帯端末装置２０５、および画像提供サーバ２０１の動作を示すフローチャートである。
【００７９】
点線で囲まれる各ステップの処理が、写真シール作成装置１ａ、携帯端末装置２０５、および画像提供サーバ２０１それぞれの処理に該当する。
【００８０】
図８を参照して、ユーザが写真シール作成装置１ａにコインを投入すると、ステップＳ１０１において画像セットＩＤ、印字ＩＤ、およびＱＲ用メールアドレスの要求が画像提供サーバにｈｔｔｐリクエストとして行なわれる。ステップＳ１０３において写真シール作成装置１ａは、画像セットＩＤ、印字ＩＤ、およびＱＲ用メールアドレスをサーバからのｈｔｔｐレスポンスとして受信する。画像セットＩＤは、１プレイで作成される画像群を特定するためのものであり、１つ取得される。印字ＩＤ又はＱＲ用メールアドレスは、図５に示すように一顧客に対して左右２箇所でユーザの選択を許容するため、２つ取得される。なお、これら情報（画像セットＩＤ、印字ＩＤ、およびＱＲ用メールアドレス）の要求と受信は、ユーザが写真シール作成装置を利用していない待機中に行ってもよい。
【００８１】
ステップＳ１０５において、写真シール作成装置１ａは、画像作成処理を実行する。これは、ユーザの撮影を複数回行ない、その中から左右の各ユーザに編集（落書き）を行なう画像を選択させる処理、画像の編集を受付ける処理、および左右の各ユーザに画像提供サーバに送信する画像を選択させる処理を含む。
【００８２】
ステップＳ１０７において、ステップＳ１０３で取得した左右ユーザそれぞれのＱＲ用メールアドレスがＱＲコードに変換される。ステップＳ１０９において、図６の画面がタブレットディスプレイ３１に表示される。
【００８３】
ユーザにより携帯端末装置２０５のカメラ２１５によってＱＲコードの読取りが行なわれた場合は、「接続１」の処理（後述）が行なわれる。ユーザにより終了が指示された場合、または時間切れの場合は、ステップＳ１１１からの処理が行なわれる。
【００８４】
ステップＳ１１１においては、画像提供サーバに対して、送信の対象となっている画像データと各種情報の送信が行なわれる。各種情報とは、ステップＳ１０３で取得された画像セットＩＤ、送信する１枚１枚の画像を定義するための画像ＩＤ、および印字ＩＤ、ならびに左右ユーザの少なくとも１つのメールアドレスが入力されている場合には、そのメールアドレスなどである。
【００８５】
ステップＳ１１３で送信すべき全画像が送信済みとなったかが判定され、ＹＥＳとなるまでステップＳ１１１の処理を繰返す。ＹＥＳとなれば、次のユーザのプレイの処理に移り、ステップＳ１０１からの動作を行なう。なお、全画像を一度に画像提供サーバに送信してもよい。
【００８６】
図９を参照して、画像提供サーバの動作について説明する。
【００８７】
画像セットＩＤ、印字ＩＤ、およびＱＲ用メールアドレスの要求が写真シール作成装置からあると、ステップＳ２０１において画像提供サーバは、画像セットＩＤ（１つ）と、印字ＩＤ（２つ）とを作成する。ステップＳ２０３において、印字ＩＤ（２つ）のそれぞれをハッシュ化することで文字列を作成する。ステップＳ２０５において、ハッシュ化により作成された文字列をアカウントとするメールアドレス（左右それぞれのユーザ用のＱＲ用メールアドレス）を作成する。
【００８８】
ステップＳ２０７において、画像セットＩＤ（１つ）、印字ＩＤ（２つ）、およびＱＲ用メールアドレス（２つ）が写真シール作成装置に対して送信される。
【００８９】
写真シール作成装置から、画像データや各種情報が送信されてくると、ステップＳ２０９において、それらの保存処理を行なう。画像データは画像ストレージ２０１ｃ−１に、各種情報は画像情報テーブル２０１ｃ−２に保存される。
【００９０】
図１２は、画像ストレージ２０１ｃ−１と画像情報テーブル２０１ｃ−２との構成を示す図である。
【００９１】
画像情報テーブル２０１ｃ−２は、画像個別の情報を管理するものである。画像セットＩＤは、１回のプレイ毎に異なるＩＤである。画像セットＩＤと画像ＩＤとの２項目で１つの画像が特定される。
【００９２】
画像ストレージ２０１ｃ−１に保存される実画像ファイルは、ファイル名として、画像セットＩＤと画像ＩＤとを組合わせた名前が付与され、関連付けが行なわれる。
【００９３】
ここでは画像セットＩＤとしては８桁の数字が用いられており、１つの画像セットに含まれる４枚の画像のそれぞれを特定するための画像ＩＤとして、１〜４の数字が用いられている。これら数字が画像情報テーブル２０１ｃ−２に記録される。
【００９４】
また、ＩＤに対応する画像には、画像セットＩＤと、「０」と、画像ＩＤとを組み合わせたファイル名が付されて画像ストレージ２０１ｃ−１に保存される。
【００９５】
画像などの保存において、ステップＳ２１１でその画像がユーザにより選択された画像か否かを判断する。ＮＯであれば処理を終了し、ＹＥＳであればステップＳ２１３に進む。このステップＳ２１１の判定は、例えば図１２の画像情報テーブルに示すように、写真シール作成装置から送信されてくる画像が複数となることより、複数枚のうち、写真シール作成装置で図５の画面によりユーザが選択した画像をキーに、後述のプレイ情報テーブルの作成等の処理を行わせるためである。
【００９６】
ステップＳ２１３において、その画像と共に送信されてきた印字ＩＤをハッシュ化することで文字列を作成する。ステップＳ２１５において、ユーザごとのプレイ情報、および印字ＩＤのハッシュ化に基づく文字列をプレイ情報テーブル２０１ｃ−３に保存する。
【００９７】
図１３は、プレイ情報テーブル２０１ｃ−３の構成を示す図である。
【００９８】
プレイ情報テーブルは、ユーザ毎のプレイ情報を管理するテーブルである。１プレイにつき２つのレコードが存在し、印字ＩＤによりそれぞれのレコードが特定される。ＱＲ用アカウントは、印字ＩＤから生成される不可逆なハッシュ文字列である。
【００９９】
ここで印字ＩＤをハッシュ化しプレイ情報テーブルに格納する意味は、後述の送信待機テーブル内の送信者メールアドレスとプレイ情報テーブル内の各レコードとを関連づけるためである。図６に示すＱＲコードはハッシュ化されたものであるため、このＱＲコードを読み取って空メールを送信してきても、サーバが知りうるのは、図１４に示すＱＲ用アカウントと送信者メールアドレスだけであるためである。
【０１００】
ここでは、ユーザごと（左右のユーザがある場合には左右それぞれのユーザごと）に、そのユーザを含む一回のプレイで撮影した複数の画像に対応する画像セットＩＤと、そのユーザが選択した選択画像に対する印字ＩＤと、そのユーザが選択した選択画像に対する画像ＩＤと、図６のメールアドレス入力部に入力された場合はそのメールアドレスと、そのユーザに対応するＱＲ用メールアドレスのアカウント部分（ＱＲ用アカウント）とが記録される。
【０１０１】
なお、図１３に示すようにメールアドレス欄がブランクの場合もある。図６に示す画面において、入力可能時間が経過した場合であってユーザのメールアドレスが確定しない場合に、メールアドレス欄はブランクとなる。また後述の図１８に示す画面においては、メールアドレスを入力せず決定ボタンを押した場合、又は決定ボタンを押さずに入力可能時間が経過した場合にメールアドレス欄はブランクとなる。これにより、ユーザがメールアドレスを入力しなくても、ＱＲコードに基づいて画像の特定ができ、ユーザに画像を提供することが可能になる。
【０１０２】
ステップＳ２１５での処理の後、ステップＳ２１７においてそのユーザのメールアドレスが取得できているかを判定する。ＹＥＳであるときには、ステップＳ２１９で印字ＩＤを含むＵＲＬを記載したメールを、そのユーザのメールアドレスに送信する。メールを受信した携帯端末装置は、図８に示されるように「接続２」の処理を行なう。
【０１０３】
ステップＳ２１９での処理の後、またはステップＳ２１７でＮＯであれば、ステップＳ２２１において、ステップＳ２１３で印字ＩＤをハッシュすることにより得られた文字列が送信待機テーブル２０１ｃ−４に登録されているかを検索する。登録されていれば、それに対応して記録されている送信者メールアドレスを読み出す。
【０１０４】
ステップＳ２２３において、印字ＩＤを含むＵＲＬを記載したメールを、読み出された送信者メールアドレスに送信する。ここで、複数のメールアドレスが読み出されたのであれば、すべてのメールアドレスに対して送信を行なう。メールを受信した携帯端末装置は、図８に示されるように「接続２」の処理を行なう。
【０１０５】
ステップＳ２２３でＵＲＬを記載したメールを送信する意味は、以下のとおりである。仮に、選択された画像がサーバに届く前に、ＱＲコード読み取りによる空メールが送信された場合、その空メールを受信したタイミングでＵＲＬを記載したメールを送信しても、画像をユーザに提供できないという問題が生じる。そのため本実施の形態では、後述の送信待機テーブルに一旦送信者メールアドレスを保存しておき、選択した画像を受信した後の一連の処理の中で、送信待機テーブルに基づき、ＵＲＬを記載したメールを送信することとしている。
【０１０６】
図１４は、送信待機テーブル２０１ｃ−４の構成を示す図である。
【０１０７】
送信待機テーブルは、各ＱＲコードを用いて送信されたメールの送信元メールアドレスを、画像が未達の場合に一時管理するものである。ＱＲ用アカウント（送信先アドレスのアカウント部）と送信元メールアドレスとの２項目が対応付けられる。
【０１０８】
すなわち送信待機テーブル２０１ｃ−４とは、ＱＲコードを携帯端末装置で読取ることによりＱＲ用メールアドレスに対して空メールの送信が行なわれたときに、送信元メールアドレスと、ＱＲ用メールアドレスのアカウントとを対応付けて記録するためのテーブルである。
【０１０９】
ＱＲ用アカウントは、ユーザが選択した画像ごとに付与される印字ＩＤをハッシュ化したものであるため、送信待機テーブル２０１ｃ−４を用いることで、印字ＩＤと、その印字ＩＤに対応するＱＲコードを用いて空メールを送信した送信元のメールアドレスとを対応付けることができる。なお、図１４において、上から３つのレコードにおいてＱＲアカウントは同じであるが、これは、３人のユーザが図６に示す画面のＱＲコードを読み取ってメールを送信してきた例を示している。
【０１１０】
図１０は、図８の接続１および２での携帯端末装置の処理を示すフローチャートである。
【０１１１】
「接続１」においては、ステップＳ３０１で、撮影されたＱＲコードからＱＲ用のメールアドレス（ＱＲ用アカウントを含むメールアドレス）を取得する処理が行なわれる。ステップＳ３０３において、そのメールアドレスに空メールが送信される。
【０１１２】
「接続２」においては、ステップＳ３０５で、ＩＤが含まれるＵＲＬを記載したメールを受信する処理が行なわれる。ステップＳ３０７でＩＤが含まれるＵＲＬにアクセスが行なわれる。これを受けて、ステップＳ３０９で携帯端末装置の表示部２１１に画像表示ページや画像データが表示される。
【０１１３】
図１１は、接続１および２での画像提供サーバ２０１の処理を示すフローチャートである。
【０１１４】
携帯端末装置から空メールを受信すると、画像提供サーバ２０１はステップＳ４０１で、送信先アドレスのアカウント部（これはＱＲ用アカウントであり、ハッシュ化された印字ＩＤに相当する）を取出す。また、送信元アドレスを取得する。
【０１１５】
ステップＳ４０３において、取出されたアカウント部に基づいて、プレイ情報テーブル２０１ｃ−３を検索する（同じＱＲ用アカウントが登録されているか判定する）。
【０１１６】
ステップＳ４０５で、同じＱＲ用アカウントが登録されていると判断されたのであれば、ステップＳ４０９でＩＤが含まれるＵＲＬを記載したメールを、携帯端末装置（送信元メールアドレス）へ送信する処理が行なわれる。
【０１１７】
ステップＳ４０５において、同じＱＲ用アカウントが登録されていないのであれば、ステップＳ４０７で、送信先アドレスのアカウント部と送信元アドレスとを対応付けて、送信待機テーブル２０１ｃ−４に保存する。
【０１１８】
なおこれらによれば、ＱＲ用アカウントが登録されている場合、送信元アドレスは保存されないため、付加的なサービスの案内が必要であれば、送信待機テーブルにＱＲ用アカウントをブランクにして送信元メールアドレスのみを保存してもよく、また、送信元アドレスを他の適当なテーブルに保存してもよい。
【０１１９】
「接続２」においては、ＩＤが含まれるＵＲＬを記載したメールを携帯端末装置で受信したユーザは、そのＵＲＬにアクセスする。すなわち、携帯端末装置でのｈｔｔｐリクエストがあれば、画像提供サーバは、ステップＳ４１１でＵＲＬのＩＤを取得する。さらに、プレイ情報テーブル２０１ｃ−３から対応する印字ＩＤを検索することで、そのＩＤに対応するプレイ情報を取得する。
【０１２０】
ステップＳ４１３において、プレイ情報に基づき、対応する画像情報と画像ファイルとが画像ストレージ２０１ｃ−１および画像情報テーブル２０１ｃ−２から取得される。
【０１２１】
ステップＳ４１５において、取得された情報に基づいて、画像を表示するためのＨＴＭＬデータと画像データとが携帯端末装置に送信される。
【０１２２】
以上の処理により、ユーザはＱＲコードを用いて画像を表示するためのＨＴＭＬデータと画像データとを取得することができる。ここで表示される画像（写真シール作成装置で作成された画像）を、携帯端末装置に有する画像保存機能を用いて、ユーザは携帯端末装置に取り込むことが可能である。また、ＱＲコードの読取り方法が分からないユーザや、ＱＲコードの存在そのものを知らないユーザは、従来通りのメールアドレスを入力する方式を用いることができる。すなわち、アドレス入力画面の余白部部分にＱＲコードを表示することで、どのユーザに対しても対処することができる。
【０１２３】
また、写真シール作成装置の運営者側では、ユーザのメールアドレスを取得することができるため、付加的なサービスの案内を同じメールアドレスに通知することができる。
【０１２４】
なお、アドレス入力画面に「ＱＲコード表示ボタン」を配置しそれが押されると、「ＱＲコード表示画面」に切替えを行なうこととしてもよい。すなわちボタンの押下により、「アドレス入力画面」と「ＱＲコード表示画面」とを切替えるものである。
【０１２５】
また、ユーザがメールアドレスを入力する従来の装置においては、時間的な制約によって入力できるメールアドレス数に限界があった（通常、１〜２人分が限界だった）。
【０１２６】
このため、多人数のユーザでプレイを行なった場合、全員がメールアドレスを入力する事が困難であった。画像提供サーバのＩＤとアクセス用パスワードとをシール上に印字し、それをユーザが入力する事によって全てのユーザの携帯端末装置に画像を提供する、という方法もあるが、この方法ではメールアドレスを入力するよりも手間がかかり、不便である。
【０１２７】
本実施の形態のようにＱＲコードを用いることで、このような不便さを解消することができる。ＱＲコードの読取りは非常に高速であるため、制限時間内に多くのユーザがＱＲコードを読取ることができる。これにより、メールアドレスを入力する場合よりも多くのユーザに画像を提供する事が可能となる。
【０１２８】
また、誰かがメールアドレスを画面で入力しながら、別のユーザが携帯端末装置でＱＲコードを読取る事も可能であり、限定された条件でより多くのユーザが画像を取得できるという効果がある。
【０１２９】
ＱＲコードは、１つだけ表示されているものを複数のユーザの携帯端末装置で読取る事も可能だが、読取り精度に問題が発生する可能性がある。具体的には、読取り機器である携帯電話のカメラの光軸が画面の垂線に対して著しく傾いている場合などでは、読取り画像が正常に処理されない。この問題を解決する為に、複数のＱＲコードを配置し、様々な位置や角度から読取りを行なうことができる様にすることが望ましい。図６においても、２つのＱＲコードが表示されているが、画面上部などにさらに追加のＱＲコードを表示することが望ましい。
【０１３０】
［第２の実施の形態］
【０１３１】
第２の実施の形態における写真シール作成装置の構成は、第１の実施の形態におけるそれと同じであるためここでの説明を繰返さない。ここでは第２の実施の形態における写真シール作成装置が第１の実施の形態におけるそれと異なる点について説明する。
【０１３２】
第２の実施の形態において写真シール作成装置は、ＱＲコードによってユーザを空メール送信用の携帯サイトに誘導する。このサイトでは、画像取得の方法や規約などが説明されている。サービスの詳細を説明する必要がある場合等は、この方法がユーザに親切である。このサイトには「空メール送信用のボタン」があり、ボタンを押すことにより携帯端末装置のメーラーが起動しユーザは空メールを送信することができる。
【０１３３】
空メールを送ったユーザのメールアドレスはサーバに記録される。画像をアップロードしたサイトのＵＲＬが、記録されたメールアドレス宛に通知される。
【０１３４】
ＱＲコードが読取られると、ダイレクトに画像をアップロードしたサイトのＵＲＬを取得できるように装置を構成してもよい。しかし、「空メール送信用のボタン」を押すという単純な動作を追加することで、写真シール作成装置の運営者側でユーザのメールアドレスを取得することができる。
【０１３５】
図１５は、第２の実施の形態における写真シール作成装置１ａと、画像提供サーバ２０１と、携帯端末装置２０５との動作を示すフローチャートである。
【０１３６】
ユーザが写真シール作成装置１ａを利用するときに、ステップＳ５０３において写真撮影、および画像編集（落書き）などが行なわれる。このとき、ステップＳ５０１において画像提供サーバ２０１から各種ＩＤが送信される。
【０１３７】
ステップＳ５０５において、ユーザにより選択された画像やＩＤの情報などが画像提供サーバ２０１にアップロードされる。ステップＳ５０７において、画像提供サーバ２０１は、ＩＤに対応付けて画像を保存する（なお、以上の処理は実質的に第１の実施の形態と同様である）。
【０１３８】
ステップＳ５０９において、印字ＩＤに対応するＱＲコードがタブレットディスプレイ３１に表示される。このＱＲコードは、印字ＩＤに対応するユニークなＱＲコードであり、空メール送信用のサイトを携帯端末装置に表示させるものである。
【０１３９】
ステップＳ５１１において携帯端末装置２０５でＱＲコードの読取りが行なわれると、携帯端末装置２０５は画像提供サーバ２０１と通信を行なう。ステップＳ５１３において、画像提供サーバ２０１は、携帯端末装置２０５に空メール送信用のサイトを表示させる。
【０１４０】
図１６は、図１５のステップＳ５１３の処理により携帯端末装置２０５に表示される画面の具体例を示す図である。
【０１４１】
この画面において、「空メール送信」ボタンが押下されると、携帯端末装置のメーラーが起動し携帯端末装置２０５から画像提供サーバ２０１へ空メールが送信される。
【０１４２】
図１５のステップＳ５１５で、空メールが画像提供サーバ２０１へ送信されると、ステップＳ５１７で画像提供サーバ２０１は、それを受信する。ステップＳ５１９で画像提供サーバ２０１は、画像を提供するためのＵＲＬを含むメールを携帯端末装置２０５に送信する。これによりステップＳ５２１で携帯端末装置２０５は、ＵＲＬを取得することができる。
【０１４３】
ステップＳ５２３でユーザがＵＲＬを選択することで、ステップＳ５２５で画像提供サーバ２０１は画像を携帯端末装置２０５に送信する。これにより、ユーザは画像を携帯端末装置２０５で得ることができる（なお、空メールを送信してからの処理も実質的に第１の実施の形態と同様である）。
【０１４４】
［第３の実施の形態］
【０１４５】
第３の実施の形態における写真シール作成装置の構成は、第１の実施の形態におけるそれと同じであるためここでの説明を繰返さない。ここでは第３の実施の形態における写真シール作成装置が第１の実施の形態におけるそれと異なる点について説明する。
【０１４６】
第３の実施の形態において写真シール作成装置は、画像提供サーバ上にアップロードされた画像を閲覧するためのＵＲＬをＱＲコードで表示する。ユーザは、携帯端末装置でＱＲコードを読取るだけで画像を取得することができる。
【０１４７】
図１７は、第３の実施の形態における写真シール作成装置１ａと、画像提供サーバ２０１と、携帯端末装置２０５との動作を示すフローチャートである。
【０１４８】
ユーザが写真シール作成装置１ａを利用するときに、ステップＳ６０３において写真撮影、および画像編集（落書き）などが行なわれる。このとき、ステップＳ６０１において画像提供サーバ２０１から各種ＩＤが送信される。
【０１４９】
ステップＳ６０５において、ユーザにより選択された画像やＩＤの情報などが画像提供サーバ２０１にアップロードされる。ステップＳ６０７において、画像提供サーバ２０１は、ＩＤに対応付けて画像を保存する（なお、以上の処理は実質的に第１の実施の形態と同様である）。
【０１５０】
ステップＳ６０９において、印字ＩＤに対応するＱＲコードがタブレットディスプレイ３１に表示される。このＱＲコードは、印字ＩＤに対応するユニークなＱＲコードであり、印字ＩＤに対応する画像を携帯端末装置に表示させるものである。
【０１５１】
ステップＳ６１１において携帯端末装置２０５でＱＲコードの読取りが行なわれると、携帯端末装置２０５は画像提供サーバ２０１と通信を行なう。ステップＳ６１３において、画像提供サーバ２０１は、携帯端末装置２０５に印字ＩＤに対応する画像を送信する。
【０１５２】
本実施の形態においては、ユーザは直接的にＵＲＬにアクセスすることができるが、写真シール作成装置の運営者側においては、付加的サービスを実施する為のユーザのメールアドレスを取得できない。
【０１５３】
なお、上述の第１〜第３の実施の形態において説明した各手法は選択的なものである。ユーザが希望するサービスや写真シール作成装置の種類に応じて、あらかじめどの手法で画像を提供するかをサービスの提供者が選べるようにすることが望ましい。
【０１５４】
［ＱＲコードの他の表示例］
【０１５５】
図１８は、メールアドレス入力処理においてタブレットディスプレイ３１に表示される画面の第１の変形例を示す図である。
【０１５６】
ここでは、アドレス入力部３０１ａの左の端部“Ａ”よりも左側にＱＲコード３０３ａが表示され、およびアドレス入力部３０１ｂの右の端部“Ｂ”よりも右側にＱＲコード３０３ｂが表示される。
【０１５７】
図１９は、メールアドレス入力処理においてタブレットディスプレイ３１に表示される画面の第２の変形例を示す図である。
【０１５８】
ここでは図１８のように、アドレス入力部３０１ａの左の端部よりも左側にＱＲコード３０３ａが表示され、およびアドレス入力部３０１ｂの右の端部よりも右側にＱＲコード３０３ｂが表示される。また、ＱＲコード３０３ａは左アドレス入力部３０１ａの下の端部“Ｃ”よりも下に表示され、ＱＲコード３０３ｂはアドレス入力部３０１ｂの下の端部“Ｄ”よりも下に表示される。
【０１５９】
このような位置にＱＲコードを表示することで、アドレスを入力するユーザによってＱＲコードが隠れてしまわず、アドレスを入力する利用者とＱＲコードをカメラに取り込む利用者とが同時に操作を行ないやすくすることができる。
【０１６０】
［その他］
【０１６１】
なお上記実施の形態では、コードの一例としてＱＲコードを例示したが、バーコード、２次元バーコードなどの携帯端末装置で読取ることができる他のコードを表示することとしてもよい。コードは表示の形で出力してもよいし、例えばＩＣチップリーダ／ライタ３５（図４）から電波や赤外線を用いて出力し、それを利用者の携帯端末装置で読取るようにしてもよい。非接触ＩＣカード技術、例えばＦｅｌｉＣａ（登録商標）等のアドホック通信モードが好適である。
【０１６２】
またＱＲコードは、メールアドレス入力部とは異なる画面に出力してもよいし、写真シールに印字することで出力してもよい。
【０１６３】
また上記実施の形態では、ＱＲ用メールアドレスを写真シール作成装置側でＱＲコードの画像に変換することとしたが、サーバ側でＱＲコード画像に変換を行ない、画像をサーバから写真シール作成装置に送ってもよい。
【０１６４】
またサーバで印字ＩＤを発行する時に、印字ＩＤとハッシュ化されたＩＤとを対応付けてサーバに記憶させておいてもよい。これにより、ＱＲコードに基づく携帯端末装置からのアクセスがサーバにあったときに、そのＱＲコードに対応するハッシュ化されたＩＤが記憶されているが、対応する画像がないときに、「画像がまだ届いていません」などのメッセージを携帯端末装置に表示させることができる。
【０１６５】
またハッシュ化されたＩＤは、アカウント部分に記載することでメールの送信者を特定することとしてもよいが、メール本文やＳｕｂｊｅｃｔ欄に記載することでメールの送信者を特定することとしてもよい。
【０１６６】
なお、写真シール作成装置においては、１回の撮影で１枚の写真画像を生成する場合もあれば、複数回の撮影で１枚の写真画像を生成する場合もある。また、これら撮影によって得られた写真画像に編集を行ないそれぞれ編集された写真画像を生成する場合もある。さらに、カメラなどの撮影機能を備えない写真シール作成装置を構成することも可能である。この場合はカメラによる撮影に代えて、記憶媒体や通信回線から写真画像を取込む。このように写真シール作成装置において色々な方法で生成される写真画像を含む意味において生成手段としている。
【０１６７】
また、上述の写真シール作成装置のコンピュータ装置１００の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１６８】
提供されるプログラム製品は、ハードディスクなどのプログラム格納部にインストールされて実行される。なお、プログラム製品は、プログラム自体と、プログラムが記録された記録媒体とを含む。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７０】
【図１】本発明の実施の形態の１つにおける写真シール作成装置のネットワーク接続例を示す図である。
【図２】本発明の実施の形態の１つにおける写真シール作成装置の外観の具体例を示す斜視図である。
【図３】写真シール作成装置の撮影空間外に設けられる編集装置の構成を示す図である。
【図４】写真シール作成装置の機能構成の具体例を示す図である。
【図５】送信写真選択処理においてタブレットディスプレイ３１に表示される画面を示す図である。
【図６】図５の画面で送信画像の選択後にタブレットディスプレイ３１に表示されるメールアドレス入力画面を示す図である。
【図７】図６のＱＲコードの読取りを行なった携帯端末装置の画面を示す図である。
【図８】写真シール作成装置１ａ、携帯端末装置２０５、および画像提供サーバ２０１の動作を示すフローチャートである。
【図９】図８に続くフローチャートである。
【図１０】図８に続くフローチャートである。
【図１１】図１０に続くフローチャートである。
【図１２】画像ストレージ２０１ｃ−１と画像情報テーブル２０１ｃ−２との構成を示す図である。
【図１３】プレイ情報テーブル２０１ｃ−３の構成を示す図である。
【図１４】送信待機テーブル２０１ｃ−４の構成を示す図である。
【図１５】第２の実施の形態における写真シール作成装置１ａと、画像提供サーバ２０１と、携帯端末装置２０５との動作を示すフローチャートである。
【図１６】図１５のステップＳ５１３の処理により携帯端末装置２０５に表示される画面の具体例を示す図である。
【図１７】第３の実施の形態における写真シール作成装置１ａと、画像提供サーバ２０１と、携帯端末装置２０５との動作を示すフローチャートである。
【図１８】メールアドレス入力処理においてタブレットディスプレイ３１に表示される画面の第１の変形例を示す図である。
【図１９】メールアドレス入力処理においてタブレットディスプレイ３１に表示される画面の第２の変形例を示す図である。
【符号の説明】
【０１７１】
１ａ〜１ｃ，２ａ，２ｂ  写真シール作成装置、３１  タブレットディスプレイ、４０  通信部、４１  ＰＨＳユニット、４２  ＰＨＳカード、８５  プリンタ、１００ａ  第１コンピュータ装置、１００ｂ  第２コンピュータ装置、１０２ａ  記憶部、１１０  制御部、２０１  画像提供サーバ、２０１ａ  通信部、２０１ｂ  制御部、２０１ｃ  記憶部、２０５ａ〜２０５ｃ  携帯端末装置、２０７  通信部、２０９  操作部、２１１  表示部、２１３  記憶部、２１５  カメラ、３０１ａ，３０１ｂ  アドレス入力部、３０３ａ，３０３ｂ  ＱＲ（Ｑｕｉｃｋ  Ｒｅｓｐｏｎｓｅ）コード。
【図１】
0005458400.tif 000002
【図２】
0005458400.tif 000003
【図３】
0005458400.tif 000004
【図４】
0005458400.tif 000005
【図５】
0005458400.tif 000006
【図６】
0005458400.tif 000007
【図７】
0005458400.tif 000008
【図８】
0005458400.tif 000009
【図９】
0005458400.tif 000010
【図１０】
0005458400.tif 000011
【図１１】
0005458400.tif 000012
【図１２】
0005458400.tif 000013
【図１３】
0005458400.tif 000014
【図１４】
0005458400.tif 000015
【図１５】
0005458400.tif 000016
【図１６】
0005458400.tif 000017
【図１７】
0005458400.tif 000018
【図１８】
0005458400.tif 000019
【図１９】
0005458400.tif 000020